(57)【要約】【課題】小型としても、生体認証情報を取得する指を所定の位置に案内することができる生体認証装置を提供すること。【解決手段】生体認証装置は、生体認証センサと、筐体と、を備える。生体認証センサは、手指のいずれかの指が接触し、前記指から生体認証情報を取得する。筐体は、前記生体認証センサを外面の一部に露出して配置するとともに、前記指が前記生体認証センサに接触するときに前記手指が接触する位置の少なくとも一部に、前記手指の位置を案内する溝を有する、前記手指で把持できる方体状に形成される。【選択図】      図１
2020126467.tif 000002
【特許請求の範囲】
【請求項１】
手指のいずれかの指が接触し、前記指から生体認証情報を取得する生体認証センサと、
前記生体認証センサを外面の一部に露出して配置するとともに、前記指が前記生体認証センサに接触するときに前記手指が接触する位置の少なくとも一部に、前記手指の位置を案内する溝を有する、前記手指で把持できる方体状に形成される筐体と、
を備える生体認証装置。
【請求項２】
前記溝は、前記筐体を把持する前記手指が接触する位置の少なくとも一部に設けられる、請求項１に記載の生体認証装置。
【請求項３】
前記溝は、前記筐体の前記生体認証センサが露出する面と隣り合う面のいずれか一面に設けられる、請求項２に記載の生体認証装置。
【請求項４】
前記溝は、前記筐体の前記生体認証センサが露出する面と隣り合う、相対する二面に設けられる、請求項２又は請求項３に記載の生体認証装置。
【請求項５】
前記溝は、一方向に長く形成され、長手方向の少なくとも一端が、前記筐体の前記生体認証センサが露出する面と平行な方向で、前記溝が設けられる面と隣り合う面まで設けられる、請求項２乃至請求項４のいずれか一項に記載の生体認証装置。
【請求項６】
前記溝は、前記筐体の前記生体認証センサに接触する前記指が接触する位置の少なくとも一部に設けられる、請求項１又は請求項２に記載の生体認証装置。
【請求項７】
前記溝は、前記筐体の前記生体認証センサが露出する面及び前記筐体の前記生体認証センサが露出する面と隣り合う面の稜部に設けられる、請求項６に記載の生体認証装置。
【請求項８】
前記筐体は、立方体状に形成される、請求項１に記載の生体認証装置。
【請求項９】
前記筐体は、直方体状に形成され、長手方向の一方側に前記生体認証センサを配置する、請求項１に記載の生体認証装置。
【発明の詳細な説明】
【技術分野】
【０００１】
本発明の実施形態は、生体認証装置に関する。
【背景技術】
【０００２】
従前から、生体認証センサが銀行のＡＴＭ（Automatic Teller Machine）、パーソナルコンピュータ、携帯電話端末等のハードウェアに組み込まれ、生体認証センサによりユーザの生体認証を行う技術が知られている。このようなハードウェアに生体認証センサが組み込まれる場合には、ハードウェアの形状等によって、生体認証情報を取得する指をあてがう位置や方向を案内することが容易である。
【０００３】
しかしながら、生体認証装置の小型化が進み、片手で把持できる程度の大きさの媒体や装置にも生体認証センサが搭載されることが考えられる。しかしながら、生体認証装置を小型化すると、生体認証情報を取得する指をあてがう位置や方向が不明確となる虞がある。このため、小型の生体認証装置であっても生体認証情報を取得する指を所定の位置に案内できることが求められる。
【先行技術文献】
【特許文献】
【０００４】
【特許文献１】特開２００８−２４４６９８号公報
【発明の概要】
【発明が解決しようとする課題】
【０００５】
本発明が解決しようとする課題は、小型としても、生体認証情報を取得する指を所定の位置に案内することができる生体認証装置を提供することである。
【課題を解決するための手段】
【０００６】
実施形態によれば、生体認証装置は、生体認証センサと、筐体と、を備える。生体認証センサは、手指のいずれかの指が接触し、前記指から生体認証情報を取得する。筐体は、前記生体認証センサを外面の一部に露出して配置するとともに、前記指が前記生体認証センサに接触するときに前記手指が接触する位置の少なくとも一部に、前記手指の位置を案内する溝を有する、前記手指で把持できる方体状に形成される。
【図面の簡単な説明】
【０００７】
【図１】第１の実施形態に係る生体認証装置の構成を示す斜視図。
【図２】同生体認証装置の構成を示すブロック図。
【図３】同生体認証装置の使用の位置例を示す斜視図。
【図４】第２の実施形態に係る生体認証装置の構成を示す斜視図。
【図５】同生体認証装置の使用の一例を示す側面図。
【図６】第３の実施形態に係る生体認証装置の構成を示す斜視図。
【図７】同生体認証装置の使用の一例を示す側面図。
【図８】第４の実施形態に係る生体認証装置の構成を示す斜視図。
【図９】他の実施形態に係る生体認証装置の構成を示す斜視図。
【図１０】他の実施形態に係る生体認証装置の構成を示す斜視図。
【図１１】他の実施形態に係る生体認証装置の構成を示す斜視図。
【図１２】他の実施形態に係る生体認証装置の構成を示す斜視図。
【発明を実施するための形態】
【０００８】
（第１の実施形態）
以下、第１の実施形態に係る生体認証装置１を、図１乃至図３を用いて説明する。図１は、第１の実施形態に係る生体認証装置１の構成を示す斜視図である。図２は、生体認証装置１の構成を示すブロック図である。図３は、生体認証装置１の使用の一例として、右手で生体認証装置１を把持し、親指２１１で生体認証情報を取得する一例を示す斜視図である。
【０００９】
図１及び図２に示すように、生体認証装置１は、プロセッサ１１と、生体認証センサ１２と、ＳＥ（Secure Element）１３と、無線通信インターフェース１４と、電池１５と、を含む。また、図１乃至図３に示すように、生体認証装置１は、プロセッサ１１、ＳＥ１３、無線通信インターフェース１４及び電池１５を収納するとともに、生体認証センサ１２を外面に露出させる筐体１６を含む。
【００１０】
プロセッサ１１は、生体認証装置１の動作に必要な処理及び制御を行う。プロセッサ１１は、例えば、ＳＥ１３に記憶されたプログラムに基づいて、生体認証装置１の各種の機能を実現すべく、生体認証センサ１２、ＳＥ１３及び無線通信インターフェース１４を制御する。例えば、プロセッサ１１は、生体認証センサ１２で取得された生体認証情報をＳＥ１３によって暗号化して記憶させるとともに、無線通信インターフェース１４によって、外部に設けられた生体認証を行う端末１００に生体認証情報を送信する。
【００１１】
プロセッサ１１は、例えば、ＭＰＵ（Micro Processing Unit）である。なお、プロセッサ１１は、ＣＰＵ（Central Processing Unit）、ＳｏＣ（System on a Chip）、ＤＳＰ（Digital Signal Processor）又はＧＰＵ（Graphics Processing Unit）でもよい。または、プロセッサ１１は、これらの組み合わせであってもよい。
【００１２】
生体認証センサ１２は、生体の生体認証情報、例えば手指のいずれかの指から生体認証情報を取得する。生体認証センサ１２は、指から取得した生体認証情報を画像データとしてＳＥ１３に送信する。生体認証センサ１２は、例えば、指から指紋の画像データを取得する指紋センサである。なお、生体認証センサ１２は、指紋センサ以外であってもよく、例えば、指の静脈パターンを画像データとして取得する静脈センサであってもよい。
【００１３】
ＳＥ１３は、データを格納できるメモリや暗号ロジック回路を含む。ＳＥ１３は、生体認証情報を暗号化して記憶する。
【００１４】
無線通信インターフェース１４は、ＢｌｕｅＴｏｏｔｈ（登録商標）やＷｉ-Ｆｉ（登録商標）等の無線通信により、端末１００と情報の送受信を行うインターフェースである。電池１５は、例えば、二次電池である。
【００１５】
筐体１６は、片手の手指に収まる方体状に形成される。ここで、片手の手指に収まる方体状とは、例えば、片手の手指で把持できる大きさの六面体である。本実施形態においては、筐体１６は、例えば、直径が７ｃｍの球体に収まる立方体状、具体例として４ｃｍ角以下の立方体状に形成される。筐体１６は、例えば、稜部及び角部が曲面状に形成される。
【００１６】
図１に示すように、筐体１６は、例えば、基板にそれぞれ実装された、プロセッサ１１、ＳＥ１３、無線通信インターフェース１４及び電池１５を収容する。また、筐体１６は、生体認証センサ１２が実装された基板を収容するとともに、外面の一部に生体認証センサ１２を露出させる。具体例として、筐体１６は、その一面に、生体認証センサ１２を露出させる開口２１を有する。
【００１７】
また、筐体１６は、外面の一部であって、且つ、生体認証センサ１２に指を接触させたときに、手指が接触する位置の少なくとも一部に溝２２を有する。溝２２は、例えば、筐体１６の、手指のうち生体認証センサ１２に接触する指とは異なる指が接触する位置に少なくとも設けられる。
【００１８】
溝２２は、例えば、指が溝２２の底面に接触できる深さに形成される。また、溝２２は、例えば、底面が曲面状に形成されている。なお、溝２２の形状は、適宜設定可能であり、例えば、底面が平面状に形成されていてもよい。但し、溝２２の形状は、手指によって筐体１６を把持したときに、指の腹が溝２２の底面に接触する程度の深さ及び形状が好ましい。
【００１９】
本実施形態において、溝２２は、図１に示すように、例えば、筐体１６の生体認証センサ１２を露出させる開口２１を有する面に隣り合う四面のうち一つの面に設けられる。溝２２は、開口２１を有する面に隣り合う一つの面の、開口２１が設けられる面に直交する方向で中央側に設けられ、開口２１が設けられる面に平行な方向に沿って延設される。
【００２０】
溝２２は、例えば、筐体１６の溝２２が設けられた面及び開口２１を有する面と隣り合う、相対する二面間に渡って設けられる。換言すると、溝２２は、開口２１を有する面と平行な方向で溝２２が設けられる面を横断するように、溝２２が設けられる面及び開口２１を有する面の双方と隣り合う相対する二面と溝２２が設けられる面とが形成する稜部間に渡って設けられる。
【００２１】
より具体例を挙げて説明すると、開口２１が設けられた面を上面１６ａとし、上面１６ａに相対する面を下面１６ｂとしたときに、溝２２は、筐体１６の四面ある側面１６ｃのうちいずれか一面１６ｃ１に設けられる。また、溝２２は、筐体１６の上面１６ａ及び下面１６ｂの相対する方向、換言すると上下方向に対して直交する方向であって、且つ、溝２２が設けられる側面１６ｃ１に沿った方向に延設される。さらに、溝２２は、側面１６ｃ１に隣り合う、相対する一対の側面１６ｃ２まで延びる。これにより、側面１６ｃ２を正面視したときに、一対の側面１６ｃ２は、溝２２が延設される側面１６ｃ１との辺部の一部がそれぞれ溝２２の断面形状に切欠する。
【００２２】
このように構成された生体認証装置１によれば、生体認証センサ１２が露出する面１６ａに隣り合う四つの面１６ｃのうちいずれかの面１６ｃ１に、生体認証センサ１２が設けられる面１６ａに沿った方向に延びる溝２２を設けた。このため、図３に示すように、左右いずれかの手、本実施形態においては右手２００の手指で筐体１６を把持し、親指２１１を生体認証センサ１２に接触させるときに、溝２２に人差し指２１２を案内することができる。溝２２に人差し指２１２が位置すると、溝２２により人差し指２１２の位置が案内され、例えば、中指２１３、薬指２１４及び小指２１５が、生体認証センサ１２が設けられる面１６ａと相対する面１６ｂ側に配置される。そして、親指２１１を生体認証センサ１２に接触させることで、親指２１１、人差し指２１２及び中指２１３により筐体１６が把持されるとともに、親指２１１の所定の領域、本実施形態においては親指２１１の指紋を有する領域の一部が生体認証センサ１２に接触することになる。
【００２３】
即ち、溝２２に指を位置させると、他の指も筐体１６に対する位置関係が決まることから、結果として、溝２２は、生体認証センサ１２と生体認証センサ１２に接触する指との位置関係を案内する。
【００２４】
このように、生体認証装置１は、筐体１６に設けられた溝２２により、筐体１６の外面に露出する生体認証センサ１２に対する手指の方向と位置を案内することができる。結果、生体認証装置１は、小型化としても、溝２２を設ける簡単な構成によって生体認証情報を取得する指を所定の方向及び位置に容易にあてがうことができる。
【００２５】
また、使用者は、溝２２によって筐体１６の把持し、そして、生体認証センサ１２へ指をあてがう態様及び姿勢を把握することで、次回から、同様の態様及び姿勢で生体認証センサ１２に生体認証情報を取得するための指を接触させることができる。即ち、筐体１６に設けられた溝２２によって、同一の使用者が筐体１６を把持し、指を生体認証センサ１２へあてがうときに、同様の姿勢、並びに、手指の方向及び配置を再現することが容易となる。結果、生体認証装置１は、同一の使用者が生体認証装置１を用いるときに、同様の指の領域の生体認証情報を取得することができる。
【００２６】
また、生体認証情報の取得において、指の生体認証情報を検出する領域及び向きを同様の領域とすることができることから、生体認証装置１の認証自体の確度を向上させることが可能となる。さらに、生体認証センサ１２で取得した生体認証情報の向きが同じ向きとなることから、生体認証情報の向きを変える等のプロセッサ１１による取得した生体認証情報の処理を少なくできる。生体認証装置１は、取得した生体認証情報の処理を低減することで、消費電力を低減することができる。
【００２７】
さらに、筐体１６に開口２１（生体認証センサ１２）及び溝２２を設ける構成とすることで、使用者は、開口２１及び溝２２に触れるだけで、筐体１６の姿勢を容易に判断することができる。このため、筐体１６は、暗所で生体認証を行う場合や、弱視者が使用する場合であっても、容易に同じ態様及び姿勢で生体認証情報を取得することができる。
【００２８】
上述したように第１の実施形態に係る生体認証装置１によれば、溝２２を設けることで、小型としても、生体認証情報を取得する指を所定の位置に案内することができる。加えて、生体認証装置１によれば、筐体１６を把持する手指を所定の位置及び方向に容易にあてがうことができる。
【００２９】
（第２の実施形態）
以下、第２の実施形態に係る生体認証装置１Ａを、図４乃至図５を用いて説明する。図４は、第２の実施形態に係る生体認証装置１Ａの構成を示す斜視図である。図５は、生体認証装置１Ａの使用の一例として、右手２００で生体認証装置１Ａを把持し、人差し指２１２で生体認証情報を取得する一例を示す側面図である。なお、第２の実施形態に係る生体認証装置１Ａの構成のうち、上述した第１の実施形態に係る生体認証装置１と同様の構成には、同一符号を付し、その詳細な説明は省略する。
【００３０】
図４及び図５に示すように、生体認証装置１Ａは、プロセッサ１１と、生体認証センサ１２と、ＳＥ（Secure Element）１３と、無線通信インターフェース１４と、電池１５と、を含む。また、生体認証装置１Ａは、プロセッサ１１、ＳＥ１３、無線通信インターフェース１４及び電池１５を収納するとともに、生体認証センサ１２を外面に露出させる筐体１６Ａを含む。
【００３１】
筐体１６Ａは、片手の手指に収まる方体状に形成される。本実施形態においては、筐体１６Ａは、例えば、直径が７ｃｍの球体に収まる立方体状、具体例として４ｃｍ角以下の立方体状に形成される。筐体１６Ａは、例えば、稜部及び角部が曲面状に形成される。
【００３２】
筐体１６Ａは、例えば、基板にそれぞれ実装された、プロセッサ１１、ＳＥ１３、無線通信インターフェース１４及び電池１５を収容する。また、筐体１６Ａは、生体認証センサ１２が実装された基板を収容するとともに、外面の一部に生体認証センサ１２を露出させる。具体例として、筐体１６Ａは、その一面に、生体認証センサ１２を露出させる開口２１を有する。
【００３３】
また、筐体１６Ａは、外面の一部であって、且つ、生体認証センサ１２に指を接触させたときに、手指が接触する位置の少なくとも一部に溝２２を有する。溝２２は、例えば、筐体１６Ａの、手指のうち生体認証センサ１２に接触する指とは異なる指が接触する位置に少なくとも設けられる。
【００３４】
溝２２は、例えば、指が底面に接触できる深さに形成される。また、溝２２は、例えば、底面が曲面状に形成されている。なお、溝２２の形状は、適宜設定可能であり、例えば、底面が平面状に形成されていてもよい。但し、溝２２の形状は、手指によって筐体１６Ａを把持したときに、指の腹が溝２２の底面に接触する程度の深さ及び形状が好ましい。
【００３５】
本実施形態において、溝２２は、図４に示すように、例えば、筐体１６Ａの生体認証センサ１２を露出させる開口２１を有する面に隣り合う四面のうち、相対する二面に設けられる。即ち、第２の実施形態に係る筐体１６Ａは、上述した第１の実施形態に係る筐体１６と、溝２２の数及び設けられる位置が異なる。
【００３６】
溝２２は、例えば、開口２１を有する面に隣り合う、相対する二つの面の開口２１が設けられる面に直交する方向で中央にそれぞれ設けられ、開口２１が設けられる面に平行な方向に沿った方向に延びる。二つの溝２２は、筐体１６Ａの相対する面の対称位置に設けられる。
【００３７】
溝２２は、例えば、筐体１６Ａの溝２２が設けられた相対する二面及び開口２１を有する面と隣り合う、相対する二面間に渡って設けられる。換言すると、溝２２は、開口２１を有する面と平行な方向に溝２２が設けられる面を横断するように、溝２２が設けられる面及び開口２１を有する面の双方と隣り合う二面と溝２２が設けられる面とが形成する稜部間に渡って設けられる。
【００３８】
より具体例を挙げて説明すると、開口２１が設けられた面を上面１６ａとし、上面１６ａに相対する面を下面１６ｂとしたときに、溝２２は、筐体１６Ａの四面ある側面１６ｃのうち相対する二つの側面１６ｃ１に設けられる。また、溝２２は、筐体１６Ａの上面１６ａ及び下面１６ｂの相対する方向、換言すると上下方向に対して直交する方向であって、且つ、溝２２が設けられる側面１６ｃ１に沿った方向に延設される。さらに、溝２２は、相対する二つの側面１６ｃ１に隣り合う、相対する二つの側面１６ｃ２まで延びる。これにより、図５に示すように、側面１６ｃ２を正面視したときに、一対の側面１６ｃ２は、溝２２が延設される二つの側面１６ｃ１との辺部の一部がそれぞれ溝２２の断面形状に切欠する。
【００３９】
このように構成された生体認証装置１Ａによれば、生体認証センサ１２が露出する面１６ａに隣り合う四つの面１６ｃの相対する二つの面１６ｃ１に、生体認証センサ１２が設けられる面１６ａに沿った方向に延びる溝２２を設けた。このため、図５に示すように、左右いずれかの手、本実施形態においては右手２００の手指で筐体１６Ａを把持し、親指２１１を生体認証センサ１２に接触させるときに、二つの溝２２に親指２１１及び中指２１３を案内することができる。溝２２に親指２１１及び中指２１３が位置すると、溝２２により親指２１１及び中指２１３の位置が案内され、例えば、薬指２１４及び小指２１５が、生体認証センサ１２が設けられる面１６ａと相対する面１６ｂ側に配置される。
【００４０】
そして、薬指２１４が面１６ｂに接触することで、筐体１６Ａが親指２１１、中指２１３及び薬指２１４によって把持される。また、人差し指２１２を生体認証センサ１２に接触させることで、人差し指２１２の所定の領域、本実施形態においては人差し指２１２の指紋を有する領域の一部が生体認証センサ１２に接触することになる。
【００４１】
即ち、二つの溝２２に指を位置させると、他の指も筐体１６Ａに対する位置関係が決まることから、結果として、溝２２は、生体認証センサ１２と生体認証センサ１２に接触する指との位置関係を案内する。
【００４２】
このように、生体認証装置１Ａは、筐体１６Ａに設けられた二つの溝２２により、筐体１６Ａの外面に露出する生体認証センサ１２に対する手指の位置を案内することができる。結果、生体認証装置１Ａは、小型化としても、溝２２を設ける簡単な構成によって手指を所定の位置に容易にあてがうことができる。
【００４３】
また、使用者は、溝２２によって筐体１６Ａの把持し、そして、生体認証センサ１２へ指をあてがう態様及び姿勢を把握することで、次回から、同様の態様及び姿勢で生体認証センサ１２に生体認証情報を取得するための指を接触させることができる。即ち、筐体１６Ａに設けられた溝２２によって、同一の使用者が筐体１６Ａを把持し、指を生体認証センサ１２へあてがうときに、同様の姿勢、並びに、手指の配置を再現することが容易となる。結果、生体認証装置１Ａは、同一の使用者が生体認証装置１を用いるときに、同様の指の領域の生体認証情報を取得することができる。
【００４４】
上述したように第２の実施形態に係る生体認証装置１Ａによれば、二つの溝２２を設けることで、小型としても、生体認証情報を取得する指を所定の位置に案内することができる。加えて、生体認証装置１Ａによれば、筐体１６Ａを把持する手指を所定の位置及び方向に容易にあてがうことができる。
【００４５】
（第３の実施形態）
以下、第３の実施形態に係る生体認証装置１Ｂを、図６乃至図７を用いて説明する。図６は、第３の実施形態に係る生体認証装置１Ｂの構成を示す斜視図である。図７は、生体認証装置１Ｂの使用の一例として、右手２００で生体認証装置１を把持し、人差し指２１２で生体認証情報を取得する一例を示す側面図である。なお、第３の実施形態に係る生体認証装置１Ｂの構成のうち、上述した第１の実施形態に係る生体認証装置１及び第２の実施形態に係る生体認証装置１Ａと同様の構成には、同一符号を付し、その詳細な説明は省略する。
【００４６】
図６及び図７に示すように、生体認証装置１Ｂは、プロセッサ１１と、生体認証センサ１２と、ＳＥ（Secure Element）１３と、無線通信インターフェース１４と、電池１５と、を含む。また、生体認証装置１Ｂは、プロセッサ１１、ＳＥ１３、無線通信インターフェース１４及び電池１５を収納するとともに、生体認証センサ１２を外面に露出させる筐体１６Ｂを含む。
【００４７】
筐体１６Ｂは、片手の手指に収まる方体状に形成される。本実施形態においては、筐体１６Ｂは、例えば、直径が７ｃｍの球体に収まる立方体状、具体例として４ｃｍ角以下の立方体状に形成される。筐体１６Ｂは、例えば、稜部及び角部が曲面状に形成される。
【００４８】
筐体１６Ｂは、例えば、基板にそれぞれ実装された、プロセッサ１１、ＳＥ１３、無線通信インターフェース１４及び電池１５を収容する。また、筐体１６Ｂは、生体認証センサ１２が実装された基板を収容するとともに、外面の一部に生体認証センサ１２を露出させる。具体例として、筐体１６Ｂは、その一面に、生体認証センサ１２を露出させる開口２１を有する。
【００４９】
また、筐体１６Ｂは、外面の一部であって、且つ、生体認証センサ１２に指を接触させたときに、手指が接触する位置の少なくとも一部に溝２２Ｂを有する。溝２２Ｂは、例えば、筐体１６Ｂの、手指のうち生体認証センサ１２に接触する指とは異なる指が接触する位置に少なくとも設けられる。
【００５０】
溝２２Ｂは、例えば、指が底面に接触できる深さに形成される。また、溝２２Ｂは、例えば、底面が曲面状に形成されている。なお、溝２２Ｂの形状は、適宜設定可能であり、例えば、底面が平面状に形成されていてもよい。但し、溝２２Ｂの形状は、手指によって筐体１６Ｂを把持したときに、指の腹が溝２２Ｂの底面に接触する程度の深さ及び形状が好ましい。
【００５１】
本実施形態において、溝２２Ｂは、図６に示すように、例えば、筐体１６Ｂの生体認証センサ１２を露出させる開口２１を有する面に隣り合う四面のうち、相対する二面に設けられる。
【００５２】
溝２２Ｂは、開口２１を有する面に隣り合う、相対する二つの面の開口２１が設けられる面に直交する方向で中央にそれぞれ設けられ、開口２１が設けられる面に平行な方向に沿った方向に延びる。
【００５３】
溝２２Ｂは、例えば、筐体１６Ｂの溝２２Ｂが設けられた相対する二面の、開口２１を有する面と平行な方向で一方の辺部から中途部まで延びる。換言すると、溝２２Ｂの長手方向の長さは、溝２２Ｂが設けられる面の一辺の長さよりも短く形成される。これにより、溝２２Ｂは、溝２２Ｂが設けられる面及び開口２１を有する面の双方と隣り合う二面のうち一方の面と溝２２Ｂが設けられる面との稜部から、他所の面と溝２２Ｂが設けられる面との稜部側に向かって溝２２Ｂが設けられる面の中途部まで延びる。
【００５４】
即ち、第３の実施形態に係る筐体１６Ｂは、溝２２Ｂの形状が、上述した第２の実施形態に係る筐体１６Ａの溝２２と異なる構成である。
【００５５】
より具体例を挙げて説明すると、開口２１が設けられた面を上面１６ａとし、上面１６ａに相対する面を下面１６ｂとしたときに、溝２２Ｂは、筐体１６Ｂの四面ある側面１６ｃのうち平行な、相対する二つの側面１６ｃ１に設けられる。また、溝２２Ｂは、筐体１６Ｂの上面１６ａ及び下面１６ｂの相対する方向、換言すると上下方向に対して直交する方向であって、且つ、溝２２Ｂが設けられる側面１６ｃ１に沿った方向に延設される。
【００５６】
さらに、溝２２Ｂは、相対する二つの側面１６ｃ１に隣り合う、相対する二つの側面１６ｃ２の一方の側面１６ｃ２から他方の側面１６ｃ２に向かって側面１６ｃ１の中途部まで延びる。
【００５７】
そして、溝２２Ｂの他方の側面１６ｃ側の端部は、半円形状に形成される。これにより、側面１６ｃ２を正面視したときに、一対の側面１６ｃ２のうち一方の側面１６ｃ２には、溝２２Ｂが延設される二つの側面１６ｃ１との辺部の一部がそれぞれ溝２２Ｂの断面形状に切欠し、そして、図７に示すように、一対の側面１６ｃ２のうち他方の側面１６ｃ２には、溝２２Ｂが延設される二つの側面１６ｃ１との辺部の一部が溝２２Ｂの断面形状に切欠しない。
【００５８】
このように構成された生体認証装置１Ｂによれば、生体認証センサ１２が露出する面１６ａに隣り合う四つの面１６ｃの相対する二つの面１６ｃ１に、生体認証センサ１２が設けられる面１６ａに沿った方向に延びる溝２２Ｂを設けた。このため、図７に示すように、左右いずれかの手、本実施形態においては右手２００の手指で筐体１６Ｂを把持し、親指２１１を生体認証センサ１２に接触させるときに、二つの溝２２Ｂに親指２１１及び中指２１３を案内することができる。溝２２Ｂに親指２１１及び中指２１３が位置すると、溝２２Ｂにより親指２１１及び中指２１３の位置が案内され、例えば、薬指２１４及び小指２１５が、生体認証センサ１２が設けられる面１６ａと相対する面１６ｂ側に配置される。
【００５９】
そして、薬指２１４が面１６ｂに接触することで、筐体１６Ｂが親指２１１、中指２１３及び薬指２１４によって把持される。また、人差し指２１２を生体認証センサ１２に接触させることで、人差し指２１２の所定の領域、本実施形態においては人差し指２１２の指紋を有する領域の一部が生体認証センサ１２に接触することになる。
【００６０】
即ち、生体認証装置１Ｂは、上述した生体認証装置１Ａと同様に、二つの溝２２Ｂに指を位置させると、他の指も筐体１６Ｂに対する位置関係が決まることから、結果として、溝２２Ｂは、生体認証センサ１２と生体認証センサ１２に接触する指との位置関係を案内する。
【００６１】
加えて、溝２２Ｂは、長手方向の一端が隣り合う側面１６ｃ２まで延び、他端は、長手方向で隣り合う側面１６ｃ２の手前まで設けられる。生体認証装置１Ｂは、溝２２Ｂの形状によって筐体１６Ｂの向きが決まることから、上述した生体認証装置１Ａの効果に加え、筐体１６Ｂに対する手指の方向を再現することが容易となる。結果、生体認証装置１Ｂは、同一の使用者が生体認証装置１Ｂを用いるときに、同様の指の領域の生体認証情報を取得することができる。
【００６２】
また、生体認証情報の取得において、指の生体認証情報を検出する領域及び向きを同様の領域とすることができることから、生体認証装置１Ｂの認証自体の確度を向上させることが可能となる。さらに、生体認証センサ１２で取得した生体認証情報の向きが同じ向きとなることから、生体認証情報の向きを変える等のプロセッサ１１による取得した生体認証情報の処理を少なくできる。生体認証装置１Ｂは、取得した生体認証情報の処理を低減することで、消費電力を低減することができる。
【００６３】
上述したように、第３の実施形態に係る生体認証装置１Ｂによれば、二つの溝２２Ｂを設けることで、小型としても、生体認証情報を取得する指を所定の位置に案内することができる。加えて、生体認証装置１Ｂによれば、筐体１６Ｂを把持する手指を所定の位置及び方向に容易にあてがうことができる。
【００６４】
（第４の実施形態）
以下、第４の実施形態に係る生体認証装置１Ｃ、図８を用いて説明する。図８は、第４の実施形態に係る生体認証装置１Ｃの構成を示す斜視図である。なお、第４の実施形態に係る生体認証装置１Ｃの構成のうち、上述した第１の実施形態に係る生体認証装置１と同様の構成には、同一符号を付し、その詳細な説明は省略する。
【００６５】
図８に示すように、生体認証装置１Ｃは、プロセッサ１１と、生体認証センサ１２と、ＳＥ（Secure Element）１３と、無線通信インターフェース１４と、電池１５と、を含む。また、生体認証装置１Ｃは、プロセッサ１１、ＳＥ１３、無線通信インターフェース１４及び電池１５を収納するとともに、生体認証センサ１２を外面に露出させる筐体１６Ｃを含む。
【００６６】
筐体１６Ｃは、片手の手指に収まる方体状に形成される。ここで、片手の手指に収まる方体状とは、例えば、片手の手指で把持できる大きさの六面体である。本実施形態においては、筐体１６Ｃは、例えば、直径が７ｃｍの球体に収まる立方体状、具体例として４ｃｍ角以下の立方体状に形成される。筐体１６Ｃは、例えば、稜部及び角部が曲面状に形成される。
【００６７】
筐体１６Ｃは、例えば、基板にそれぞれ実装された、プロセッサ１１、ＳＥ１３、無線通信インターフェース１４及び電池１５を収容する。また、筐体１６Ｃは、生体認証センサ１２が実装された基板を収容するとともに、外面の一部に生体認証センサ１２を露出させる。具体例として、筐体１６Ｃは、その一面に、生体認証センサ１２を露出させる開口２１を有する。
【００６８】
また、筐体１６Ｃは、外面の一部であって、且つ、生体認証センサ１２に指を接触させたときに、手指が接触する位置の少なくとも一部に溝２３を有する。溝２３は、例えば、筐体１６Ｃの、生体認証センサ１２に接触する指が接触する位置に少なくとも設けられる。
【００６９】
溝２３は、例えば、指が底面に接触できる深さに形成される。また、溝２３は、例えば、底面が平面状に形成されている。なお、溝２３の形状は、適宜設定可能であり、例えば、底面が曲面状に形成されていてもよい。但し、溝２３の形状は、指を生体認証センサ１２に接触したときに、指の腹が溝２３の底面に接触する程度の深さ及び形状が好ましい。
【００７０】
本実施形態において、溝２３は、図８に示すように、例えば、筐体１６Ｃの生体認証センサ１２を露出させる開口２１を有する面と、開口２１を有する面に隣り合う四面のうち一つの面との稜部の中央に設けられる。
【００７１】
より具体例を挙げて説明すると、開口２１が設けられた面を上面１６ａとし、上面１６ａに相対する面を下面１６ｂとしたときに、溝２３は、上面１６ａと筐体１６Ｃの四面ある側面１６ｃのうちいずれか一面１６ｃ１との稜部に設けられる。
【００７２】
このように構成された生体認証装置１によれば、生体認証センサ１２が露出する面１６ａと連続する稜部の一部に溝２３を設けた。このため、左右いずれかの手の指で筐体１６Ｃを把持し、そして、いずれかの指を生体認証センサ１２に接触させるときに、溝２３に生体認証センサ１２に接触する指の腹を案内することができる。例えば、親指２１１から生体認証情報を取得する場合には、親指２１１の腹が溝２３に接触する。同様に、人差し指２１２から生体認証情報を取得する場合には、人差し指２１２の腹が溝２３に接触する。
【００７３】
即ち、溝２３に生体認証情報を取得する指をあてがって、生体認証センサ１２に指を接触させることで、生体認証センサ１２に対する指の方向及び位置を案内することができる。また、生体認証センサ１２に対して生体認証情報を取得する指が案内されることで、筐体１６Ｃに対する他の手指の方向と位置を案内することができる。結果、生体認証装置１Ｃは、小型化としても、溝２３を設ける簡単な構成によって手指を所定の方向及び位置に容易にあてがうことができる。
【００７４】
よって、使用者は、生体認証センサ１２へ指をあてがう態様及び姿勢を把握することで、次回から、同様の態様及び姿勢で生体認証センサ１２に生体認証情報を取得するための指を接触させることができる。即ち、筐体１６Ｃに設けられた溝２３によって、同一の使用者が筐体１６Ｃを把持し、指を生体認証センサ１２へあてがうときに、同様の姿勢、並びに、手指の方向及び配置を再現することが容易となる。結果、生体認証装置１Ｃは、同一の使用者が生体認証装置１Ｃを用いるときに、同様の指の領域の生体認証情報を取得することができる。
【００７５】
また、生体認証情報の取得において、指の生体認証情報を検出する領域及び向きを同様の領域とすることができることから、生体認証装置１Ｃの認証自体の確度を向上させることが可能となる。さらに、生体認証センサ１２で取得した生体認証情報の向きが同じ向きとなることから、生体認証情報の向きを変える等のプロセッサ１１による取得した生体認証情報の処理を少なくできる。生体認証装置１Ｃは、取得した生体認証情報の処理を低減することで、消費電力を低減することができる。
【００７６】
さらに、筐体１６Ｃに溝２３を設ける構成とすることで、筐体１６Ｃは、使用者が触れるだけで、筐体１６Ｃに対する姿勢を容易に判断させることができる。このため、筐体１６Ｃは、暗所で生体認証を行う場合や、弱視者が使用する場合であっても、容易に同じ態様及び姿勢で生体認証情報を取得することができる。
【００７７】
上述したように第４の実施形態に係る生体認証装置１Ｃによれば、溝２３を設けることで、小型としても、生体認証情報を取得する指を所定の位置及び方向に容易にあてがうことができる。
【００７８】
なお、上述した実施形態は、例として提示したものであり、生体認証装置は、上述の実施形態に限定されない。例えば、上述した例では、筐体１６、１６Ａ、１６Ｂの側面１６ｃのいずれか一面、又は相対する二面に溝２２、２２Ｂを設ける構成、並びに、筐体１６Ｂの上面１６ａ及び側面１６ｃの稜部に溝２３を設ける構成を説明したがこれら構成に限定されない。即ち、生体認証装置は、筐体の外面のいずれかに、単数又は複数の溝を設けることで、生体認証センサ１２に接触する指の位置を生体認証センサ１２に対して直接的に、又は、間接的に案内できる構成であればよい。また、筐体の側面１６ｃに設けられる溝は、少なくとも一方の端部が、溝２２が設けられる面及び当該面に隣り合う面の稜部に配置される構成であればよい。
【００７９】
例えば、上述した筐体１６に設けられる溝２２を筐体１６Ｂに設けられる溝２２Ｂとする構成であってもよい。溝２２Ｂを有する筐体１６とし、溝２２Ｂの一方の端部を配置する稜部によって、筐体１６を右手用及び左手用に分けることができる。
【００８０】
また、例えば、図９に示す他の実施形態に係る生体認証装置１Ｄの筐体１６Ｄに示すように、溝２２を開口２１が設けられる上面１６ａに隣り合う３つの側面１６ｃ１に設ける構成としてもよい。このような構成の生体認証装置１Ｄとすることで、上述した第１の実施形態に係る生体認証装置１及び第２の実施形態に係る生体認証装置１Ａのように、親指２１１及び人差し指２１２のそれぞれの生体認証センサ１２に対する位置及び方向を案内することができる。
【００８１】
また、例えば、図１０に示す他の実施形態に係る生体認証装置１Ｅの筐体１６Ｅに示すように、筐体１６Ｅを把持する指を案内する溝２２に加えて、生体認証センサ１２に接触する指を案内する溝２３をさらに備える構成としてもよい。さらに、例えば、図１０に示すように、筐体１６Ｅの開口２１が設けられる上面１６ａと相対する下面１６ｂに溝２２Ｅを設ける構成であってもよい。なお、下面１６ｂに溝を設ける場合には、筐体１６Ｅの方向を案内可能な形状であることが好ましい。また、下面１６ｂに設ける溝は、下面１６ｂに接触する指の形状に合わせて、溝２２Ｂとは異なる形状であってもよい。
【００８２】
また、上述した例では、筐体１６Ａ、１６Ｂの相対する側面１６ｃに設ける２つの溝２２、２２Ｂをそれぞれ同様の配置及び形状とする例を説明したがこれに限定されない。同様に、溝２２、２２Ｂ、２３は、一方向に延びる構成を説明したがこれに限定されない。即ち、溝２２、２２Ｂ、２３は、手指を案内可能な形状であれば適宜設定可能である。
【００８３】
例えば、図１１に示す他の実施形態に係る生体認証装置１Ｆの筐体１６Ｆに示すように、筐体１６Ｆの相対する２つの側面１６ｃ１のうち一方の側面１６ｃ１に溝２２Ｂを設け、他方の側面１６ｃ１に溝２２Ｂと異なる形状の溝２２Ｆを設ける構成としてもよい。このように、相対する側面１６ｃに設ける２つの溝２２Ｂ、２２Ｆの形状を異ならせることで、筐体１６Ｆを把持する手指の形状に沿って形成することができるため、筐体１６Ｆは把持しやすくなる。
【００８４】
加えて、２つの溝２２Ｂ、２２Ｆが非対称形状となる筐体１６Ｆは、例えば、異なる形状の溝２２Ｂ、２２Ｆの配置によって右手用及び左手用に設定することもできる。これにより、生体認証装置１Ｆは、小型としても、生体認証情報を取得する指を所定の位置に案内することが高い精度で可能となり、生体認証装置１Ｆの認証自体の確度をより向上させることができる。また、手指の案内をする溝の形状は、例えば、使用者の手指の形状に合わせて筐体１６に形成する、所謂オーダー形状としてもよい。また、上述した溝２２Ｂの端部を半円形状とする例を説明したが、例えば、溝２２Ｂの端部は溝２２Ｂの長手方向に直交する方向に延びる端部としてもよい。
【００８５】
さらに、上述した例では、生体認証装置の筐体は、片手の手指に収まる方体状の例として、立方体状の例を用いて説明したがこれに限定されない。例えば、図１２に示す他の実施形態に係る生体認証装置１Ｇに示すように、筐体１６Ｇは、片手の手指に収まる方体状として、例えば、直方体状に形成される。例えば、直方体状の筐体１６Ｇとする場合には、１つの面が４ｃｍ角以下で一方向に長い形状とすることができる。具体例として、例えば、筐体１６Ｆは、３ｃｍ×３ｃｍ×６ｃｍといったように、片手の手指で把持できる直方体状に形成される。
【００８６】
このような筐体１６Ｇは、その外面の一部、より具体例としては、開口２１が設けられる上面１６ａに隣接する側面１６ｃのうち長手側の側面１６ｃ１に、筐体１６Ｇを把持する手指を案内する溝２２Ｇを設ける構成とすればよい。なお、溝２２Ｇは、上述した溝２２、２２Ｂと同様に、筐体１６Ｇを把持する指の腹が溝２２Ｇの底面に接触できる形状が好ましい。また、開口２１は、上面１６ａの長手方向で一端側に設ける構成とすればよい。このように、一方向に長い直方体状とすることで、筐体１６Ｇを把持するための手指が接触できる領域が増加することから、筐体１６Ｇを把持することが容易となる。
【００８７】
また、直方体状の筐体１６Ｇとすることで、筐体１６Ｇ内に配置する基板の実装可能な面積を増加させることができる。このため、例えば、図１２に示すように、１つの基板１７に、プロセッサ１１、生体認証センサ１２、ＳＥ１３、無線通信インターフェース１４及び電池１５を実装する構成としてもよい。
【００８８】
また、上述した例では、生体認証装置１Ａは、筐体１６Ａの相対する側面１６ｃ１に対称形状であって、且つ、相対する側面１６ｃ２間に渡る溝２２を設ける構成を説明したがこれに限定されない。例えば、生体認証装置１Ａは、筐体１６Ａの外面の一部、例えば筐体１６Ａの開口２１が設けられる上面１６ａや、溝２２の底面の長手方向で一端側に、筐体１６Ａの方向を案内する小さな突起等の案内部をさらに設ける構成としてもよい。このような突起を視認するか、若しくは、指で触れることで、溝２２の形状から筐体１６Ａの方向を確認できない場合であっても、案内部によって筐体１６Ａの方向を確認することができる。
【００８９】
また、上述した例では、各生体認証装置は、手指によって把持して、生体認証情報を取得する例を説明したがこれに限定されない。即ち、筐体を机上に配置し、そして、の下面１６ｂが机上に接触した状態で、溝２２、２２Ｂ、２３に指を接触させた状態で、指を生体認証センサ１２に接触させる使用方法であってもよい。
【００９０】
また、上述した例では、生体認証センサ１２は、指から生体認証情報を取得する例を説明下がこれに限定されない。生体認証センサ１２は、手のいずれかの一部から生体認証情報を取得する構成としてもよい。
【００９１】
以上述べた少なくともひとつの実施形態の生体認証装置によれば、手指を案内する溝を筐体に設けることで、小型としても、生体認証情報を取得する指を所定の位置に案内することができる。
【００９２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
１、１Ａ、１Ｂ、１Ｃ、１Ｄ、１Ｅ、１Ｆ、１Ｇ…生体認証装置、１１…プロセッサ、１２…生体認証センサ、１４…無線通信インターフェース、１５…電池、１６、１６Ａ、１６Ｂ、１６Ｃ、１６Ｄ、１６Ｅ、１６Ｆ、１６Ｇ…筐体、１６ａ…上面、１６ｂ…下面、１６ｃ、１６ｃ１、１６ｃ２…側面、１７…基板、２１…開口、２２、２２Ｂ、２２Ｅ、２２Ｆ、２２Ｇ、２３…溝、１００…端末、２００…右手、２１１…親指、２１２…人差し指、２１３…中指、２１４…薬指、２１５…小指。
【図１】
2020126467.tif 000003
【図２】
2020126467.tif 000004
【図３】
2020126467.tif 000005
【図４】
2020126467.tif 000006
【図５】
2020126467.tif 000007
【図６】
2020126467.tif 000008
【図７】
2020126467.tif 000009
【図８】
2020126467.tif 000010
【図９】
2020126467.tif 000011
【図１０】
2020126467.tif 000012
【図１１】
2020126467.tif 000013
【図１２】
2020126467.tif 000014